(57)【要約】    【課題】  ユーザに負担をかけることなく、かつ、部品点数を増加させずに、プリンタの節電効果を高める。    【解決手段】  プリンタがステータスとして、印刷手段及びステータス返信手段を動作させた通常モードと、印刷手段を休止させたスリープモードと、印刷手段及びステータス返信手段を休止させたスタンバイモードとをとる場合、ホスト装置は、プリンタへステータス取得要求を送り、それに対する返信として前記プリンタのステータスを取得し(S103)、取得したプリンタのステータスが通常モードの場合には(S104)、第１の時間経過後に次のステータス取得要求を送り(S102,103)、取得したプリンタのステータスがスリープモードの場合には(S104)、第１の時間よりも長い第２の時間経過後に次のステータス取得要求を送る(S106,107)。    【選択図】  図３
2007094929.tif 000002
【特許請求の範囲】
【請求項１】
プリンタ及び前記プリンタと接続されたホスト装置とを備えた印刷システムであって、
前記ホスト装置は、
前記プリンタへ、周期的にステータス取得要求を送り、それに対する返信として前記プリンタのステータスを取得するステータス問い合わせ手段と、
前記プリンタへ印刷データを送信して、印刷要求を行う印刷要求手段と、を備え、
前記プリンタは、
前記ホスト装置からの前記ステータス取得要求または前記印刷要求を検出する要求検出手段と、
前記要求検出手段が検出したホスト装置からの要求が印刷要求であるとき、当該印刷要求に従って印刷を行う印刷手段と、
前記要求検出手段が検出したホスト装置からの要求がステータス取得要求であるとき、前記ホスト装置に対してステータスを返信するステータス返信手段と、
当該プリンタを、前記要求検出手段、前記印刷手段及び前記ステータス返信手段を動作させた動作状態と、前記印刷手段を休止させた第１の節電状態と、前記印刷手段及び前記ステータス返信手段を休止させた第２の節電状態との切り替えを行う節電制御手段と、を備え、
前記ホスト装置のステータス問い合わせ手段は、前記プリンタが前記動作状態の場合には第１の周期で前記ステータス取得要求を送り、前記プリンタが前記第１または第２の節電状態の場合には、前記第１の周期よりも長い第２の周期で前記ステータス取得要求を送ることを特徴とする印刷システム。
【請求項２】
前記プリンタの節電制御手段は、前記第１の節電状態で、前記要求検出手段が所定時間以上要求を検出しないときに前記第２の節電状態へ切り替えを行い、
前記所定時間は、前記第２の周期よりも短いことを特徴とする請求項１記載の印刷システム。
【請求項３】
前記プリンタが前記第２の節電状態のときに、前記プリンタの要求検出手段が前記ホスト装置からの要求を検出すると、
前記プリンタの節電制御手段は、前記プリンタを前記第１の節電状態にし、
前記検出された要求がステータス取得要求であるときは、前記プリンタのステータス返信手段が前記第１の節電状態であることを示すステータスを返信する、ことを特徴とする請求項１記載の印刷システム。
【請求項４】
前記プリンタが第１または第２の節電状態のときに、前記プリンタの要求検出手段が前記ホスト装置からの要求を検出すると、
前記検出された要求が印刷要求であるときは、前記プリンタの節電制御手段が前記プリンタを前記動作状態にし、
前記印刷手段が当該印刷要求に従う印刷を行う、ことを特徴とする請求項１または２に記載の印刷システム。
【請求項５】
印刷手段を備えたプリンタに接続可能なプリンタホスト装置であって、
前記プリンタへ、周期的にステータス取得要求を送り、それに対する返信として前記プリンタのステータスを取得するステータス問い合わせ手段と、
前記プリンタへ印刷データを送信して、印刷要求を行う印刷要求手段と、を備え、
前記プリンタが、前記印刷要求に従って印刷を行う印刷手段と、前記プリンタホスト装置に対してステータスを返信するステータス返信手段と、を備え、ステータスとして、前記印刷手段及び前記ステータス返信手段を動作させた動作状態と、前記印刷手段を休止させた第１の節電状態と、前記印刷手段及び前記ステータス返信手段を休止させた第２の節電状態をとり、かつ、前記第１の節電状態で所定時間以上経過したときに前記第２の節電状態へ遷移する場合、
前記ステータス問い合わせ手段は、前記プリンタが前記動作状態の場合には第１の周期で前記ステータス取得要求を送り、前記プリンタが前記第１の節電状態の場合には、前記ステータス取得要求を送らないか、あるいは、前記第１の周期よりも長い第２の周期で前記ステータス取得要求を送ることを特徴とするプリンタホスト装置。
【請求項６】
プリンタホスト装置がプリンタのステータスを問い合わせる方法であって、
前記プリンタが、前記印刷要求に従って印刷を行う印刷手段と、前記プリンタホスト装置に対してステータスを返信するステータス返信手段と、を備え、ステータスとして、前記印刷手段及び前記ステータス返信手段を動作させた動作状態と、前記印刷手段を休止させた第１の節電状態と、前記印刷手段及び前記ステータス返信手段を休止させた第２の節電状態をとり、かつ、前記第１の節電状態で所定時間以上経過したときに前記第２の節電状態へ遷移する場合、
前記プリンタへステータス取得要求を送り、それに対する返信として前記プリンタのステータスを取得するステップと、
前記取得したプリンタのステータスが前記動作状態の場合には、第１の時間経過後に次のステータス取得要求を送るステップと、
前記取得したプリンタのステータスが前記第１の節電状態の場合には、前記第１の時間よりも長い第２の時間経過後に次のステータス取得要求を送るステップと、を有するステータスの問い合わせ方法。
【発明の詳細な説明】
【技術分野】
【０００１】
本発明は、プリンタの消費電力を抑制するための技術に関する。
【背景技術】
【０００２】
プリンタは、電源を投入した状態で所定の時間印刷要求を受け付けないと、電力消費量を低減するために節電モードへ遷移するものが知られている。特に、この節電モードでは、ＣＰＵを停止させてしまうものがある。
【０００３】
一方、プリンタのホスト装置は、周期的にプリンタへステータスの問い合わせを行うものがある。このようなホスト装置から周期的にステータスの問い合わせを受けると、ＣＰＵを復帰させてからステータスの問い合わせ要求に応答しなければならない。従って、プリンタの節電効果が削減されてしまうという問題がある。係る課題に対して、例えば特許文献１，２のような発明がなされている。
【０００４】
特許文献１には、ホスト装置からプリンタへのステータス問い合わせを行う周期を、ユーザが設定により変えることができる技術が記載されている。
【０００５】
特許文献２には、節電モードのときはメインのＣＰＵを停止するとともに、このときのステータスの問い合わせに応答するためのサブＣＰＵを備えたプリンタが記載されている。
【特許文献１】特開平１１−２１９２６３号公報
【特許文献２】特開２００４−３４４８８号公報
【発明の開示】
【発明が解決しようとする課題】
【０００６】
しかし、特許文献１の技術では、節電効果を上げつつ快適にプリンタを利用するためには、ユーザによる設定及びその解除が必要である。従って、節電効果をより高めるには、ユーザが頻繁に設定及び解除を行う必要があり、煩雑である。
【０００７】
また、特許文献２のプリンタは、サブＣＰＵを備えているので、その分コスト上昇要因となる。
【０００８】
そこで、本発明の目的は、ユーザに負担をかけることなく、かつ、部品点数を増加させずに、プリンタの節電効果を高めることである。
【課題を解決するための手段】
【０００９】
本発明の一実施態様に従う印刷システムは、プリンタ及び前記プリンタと接続されたホスト装置とを備える。前記ホスト装置は、前記プリンタへ、周期的にステータス取得要求を送り、それに対する返信として前記プリンタのステータスを取得するステータス問い合わせ手段と、前記プリンタへ印刷データを送信して、印刷要求を行う印刷要求手段と、を備える。前記プリンタは、前記ホスト装置からの前記ステータス取得要求または前記印刷要求を検出する要求検出手段と、前記要求検出手段が検出したホスト装置からの要求が印刷要求であるとき、当該印刷要求に従って印刷を行う印刷手段と、前記要求検出手段が検出したホスト装置からの要求がステータス取得要求であるとき、前記ホスト装置に対してステータスを返信するステータス返信手段と、当該プリンタを、前記要求検出手段、前記印刷手段及び前記ステータス返信手段を動作させた動作状態と、前記印刷手段を休止させた第１の節電状態と、前記印刷手段及び前記ステータス返信手段を休止させた第２の節電状態との切り替えを行う節電制御手段と、を備える。そして、前記ホスト装置のステータス問い合わせ手段は、前記プリンタが前記動作状態の場合には第１の周期で前記ステータス取得要求を送り、前記プリンタが前記第１または第２の節電状態の場合には、前記第１の周期よりも長い第２の周期で前記ステータス取得要求を送る。
【００１０】
これにより、プリンタのステータスが節電状態の場合には、ホスト装置からのプリンタへのステータス問い合わせの周期を長くすることができ、この結果、プリンタの節電効果を向上させることができる。
【００１１】
好適な実施形態では、前記プリンタの節電制御手段は、前記第１の節電状態で、前記要求検出手段が所定時間以上要求を検出しないときに前記第２の節電状態へ切り替えを行う。そして、前記所定時間は、前記第２の周期よりも短いことが好ましい。
【００１２】
これにより、プリンタは、印刷要求がないときに、より節電効果の大きい第２の節電状態でいる時間が長くなる。
【００１３】
好適な実施形態では、前記プリンタが前記第２の節電状態のときに、前記プリンタの要求検出手段が前記ホスト装置からの要求を検出すると、前記プリンタの節電制御手段は、前記プリンタを前記第１の節電状態にする。そして、前記検出された要求がステータス取得要求であるときは、前記プリンタのステータス返信手段が前記第１の節電状態であることを示すステータスを返信するようにしてもよい。
【００１４】
好適な実施形態では、前記プリンタが第１または第２の節電状態のときに、前記プリンタの要求検出手段が前記ホスト装置からの要求を検出すると、前記検出された要求が印刷要求であるときは、前記プリンタの節電制御手段が前記プリンタを前記動作状態にする。そして、前記印刷手段が当該印刷要求に従う印刷を行うようにしてもよい。
【００１５】
本発明の一実施態様に従う、印刷手段を備えたプリンタに接続可能なプリンタホスト装置は、前記プリンタへ、周期的にステータス取得要求を送り、それに対する返信として前記プリンタのステータスを取得するステータス問い合わせ手段と、前記プリンタへ印刷データを送信して、印刷要求を行う印刷要求手段と、を備える。そして、前記プリンタが、前記印刷要求に従って印刷を行う印刷手段と、前記プリンタホスト装置に対してステータスを返信するステータス返信手段と、を備え、ステータスとして、前記印刷手段及び前記ステータス返信手段を動作させた動作状態と、前記印刷手段を休止させた第１の節電状態と、前記印刷手段及び前記ステータス返信手段を休止させた第２の節電状態をとり、かつ、前記第１の節電状態で所定時間以上経過したときに前記第２の節電状態へ遷移する場合、前記ステータス問い合わせ手段は、前記プリンタが前記動作状態の場合には第１の周期で前記ステータス取得要求を送り、前記プリンタが前記第１の節電状態の場合には、前記ステータス取得要求を送らないか、あるいは、前記第１の周期よりも長い第２の周期で前記ステータス取得要求を送る。
【発明を実施するための最良の形態】
【００１６】
以下、本発明の一実施形態に係る印刷システムについて、図面を参照して説明する。
【００１７】
図１は、本発明の一実施形態に係る印刷システムの構成を示す図である。
【００１８】
本システムは、プリンタ１とプリンタホスト装置（以下、単にホスト装置という）３とを有する。
【００１９】
プリンタ１は、印刷ヘッド、印刷ヘッドが搭載されているキャリッジ及び用紙送り機構などを有する印刷機構１１と、ＲＯＭ１３に格納されているプログラムを実行して印刷機構１１を制御するＣＰＵ１２と、ＣＰＵ１２がプログラムを実行するときに利用するＲＡＭ１４と、ホスト装置３とのインタフェース１５とを備える。
【００２０】
ホスト装置３は、例えば、パーソナルコンピュータなどの汎用的なコンピュータマシンで構成してもよい。つまり、ホスト装置３は、ＲＯＭ３２などに格納されている所定のプログラムを実行するＣＰＵ３１と、ＣＰＵ２１がプログラムを実行するときに利用するＲＡＭ３３と、ホスト装置３とのインタフェース３４とを備える。
【００２１】
図２は、上記のようなハードウェア構成を備えるプリンタ１及びホスト装置３が、それぞれ所定のプログラムを実行することにより実現される機能構成を示す図である。
【００２２】
ホスト装置３は、同図に示すように、プリンタ１へステータスを問い合わせるステータス問い合わせ手段３０１と、印刷データを生成してプリンタ１へ印刷データを送って印刷を要求する印刷要求手段３０２とを備える。
【００２３】
ステータス問い合わせ手段３０１は、プリンタ１に対してステータス問い合わせ要求を送り、それに対する応答として、プリンタ１のステータスを示す情報を取得する。プリンタ１に対するステータスの問い合わせを行うタイミングは、ユーザから指示があったときなどの任意のタイミングでもよいし、所定の時間間隔で周期的に行ってもよい。ステータスの問い合わせタイミングの制御については後述する。
【００２４】
印刷要求手段３０２は、印刷データを生成し、この印刷データをプリンタ１へ送信して、印刷要求を行う。
【００２５】
プリンタ１は、同図に示すように、ホスト装置３から送られてきた要求を検出する要求検出手段１０１と、ホスト装置３から送られてきた印刷データに基づいて印刷を実行する印刷手段１０２と、ホスト装置３からのステータス問い合わせに応じてプリンタ１のステータスを返信するステータス返信手段１０３と、プリンタ１が消費する電力を節約するためにプリンタの運転モードを制御する節電制御手段１０４とを備える。
【００２６】
要求検出手段１０１は、インタフェース１５（図１参照）により実現され、ホスト装置３から何らかの要求を受け付けると、それを検出する。例えば、本実施形態ではホスト装置３が、プリンタ１へステータス問い合わせ要求及び印刷要求を送信するので、インタフェース１５（要求検出手段１０１）が、ホスト装置３からいずれかの要求を受け付けるとそれを検出し、ＣＰＵ１２（図１参照）に対して割込を発生させる。ＣＰＵ１２は、この割込によりホスト装置３からの要求を受け付けたことを知る。
【００２７】
そして、受け付けた要求が印刷要求である場合は、ＣＰＵ１２及び印刷機構１１により実現される印刷手段１０２が印刷処理を実行する。また、受け付けた要求がステータス問い合わせ要求である場合は、ＣＰＵ１２により実現されるステータス返信手段１０３が現在のプリンタ１のステータスをホスト装置３へ返信する。
【００２８】
節電制御手段１０４は、ＣＰＵ１２により実現され、プリンタ１の運転モードを制御して、プリンタ１の消費電力を低減させる。ここで、プリンタ１の運転モードには、以下の３種類がある。
（１）要求検出手段１０１、印刷手段１０２及びステータス返信手段１０３のすべてが動作している通常動作モード（以下、通常モード）
（２）印刷手段１０２を休止させ、要求検出手段１０１及びステータス返信手段１０３が動作しているスリープモード
（３）印刷手段１０２及びステータス返信手段１０３を休止させ、要求検出手段１０１のみが動作しているスタンバイモード
通常モードは、ホスト装置３からのステータス問い合わせ要求及び印刷要求に対して、即座に応答可能な状態である。通常モードは、３つのモードの中で、消費電力が最大である。通常モードで、ホスト装置３から印刷要求を待っている待機状態が所定時間（Ｔ１）以上継続すると、プリンタ１はスリープモードへ遷移する。
【００２９】
スリープモードは、印刷手段１０２を停止させ、消費電力を低減した第１の節電モードである。スリープモードのときは、例えば、図示しないインタフェース用のパネルの照明を消灯したり、印刷機構１１（図１参照）に含まれる各モータを無励磁にしたりする。また、このときＣＰＵ１２のクロックは動作している。
【００３０】
プリンタ１がスリープモードであるときに印刷要求を受けると、節電制御手段１０４がプリンタ１を通常モードに復帰させ、印刷手段１０２が印刷要求に従った印刷を実行する。従って、スリープモードから通常モードへ復帰するために要する時間だけ、通常モードのときよりも応答に時間を要する。
【００３１】
一方、スリープモードのときであってもステータス返信手段１０３は動作している。従って、ホスト装置３からのステータス問い合わせ要求を受け付けると、ステータス返信手段１０３は即座に応答し、そのときのステータス（つまり「スリープ」）を返す。
【００３２】
スリープモードで、所定時間（Ｔ２）以上、ホスト装置３から何も要求を受け付けないときは、プリンタ１はスタンバイモードへ遷移する。
【００３３】
スタンバイモードは、印刷手段１０２及びステータス返信手段１０３を停止させた第２の節電モードである。スタンバイモードのときは、スリープモードの状態に加え、ＣＰＵ１２のクロックも停止している。つまり、実質的には、プリンタ１が備える機能のうち、ホスト装置３とのインタフェース１５（要求検出手段１０１）のみが動作している状態である。従って、スタンバイモードは、スリープモードよりも電力消費量が低く抑えられている。
【００３４】
プリンタ１がスタンバイモードのときに要求検出手段１０１から割込がかかると、ＣＰＵ１２のクロックが再開し、プリンタ１がスリープモードになる。ここで、要求検出手段１０１が検出した要求がステータス問い合わせ要求のときには、スリープモードのまま、ステータス返信手段１０３がそのときのステータス（つまり「スリープ」）を返す。
【００３５】
一方、検出された要求が印刷要求のときは、さらに、プリンタ１がスリープモードから通常モードに復帰し、印刷手段１０２が印刷要求に係る印刷データの印刷処理を行う。
【００３６】
次に、図３に、ホスト装置３が実行する処理のフローチャートを示す。
【００３７】
ホスト装置３は、プリンタ１に対する印刷要求が発生しているかどうかをチェックする（Ｓ１０１）。印刷要求が発生していないときは（Ｓ１０１：Ｎｏ）、経過時間をカウントし、通常周期として定めた時間が経過すると、ステータス問い合わせ手段３０１が、プリンタ１へステータス問い合わせ要求を送って、プリンタ１のステータスを取得する（Ｓ１０２，Ｓ１０３）。
【００３８】
ここで、プリンタ１のステータスが「通常モード」であれば、ステップＳ１０１へ戻る（Ｓ１０４）。
【００３９】
プリンタ１のステータスが「エラー」であれば、ホスト装置３はエラー処理を実行する（Ｓ１１０）。
【００４０】
プリンタ１のステータスが「スリープモード」であれば、プリンタ１に対する印刷要求の発生の有無をチェックする（Ｓ１０５）。ここで、印刷要求が発生していなければ、前回のステータス取得時からの経過時間をカウントし、ステップＳ１０２の通常周期よりも長い周期（長周期）の時間が経過すると、ステータス問い合わせ手段３０１が、プリンタ１へステータス問い合わせ要求を送って、プリンタ１のステータスを取得する（Ｓ１０６，Ｓ１０７）。そして、ステップＳ１０５へ戻って、それ以降の処理を繰り返す。
【００４１】
ステップＳ１０１及びステップＳ１０５で印刷要求が発生していたときは、ステータス問い合わせ手段３０１が、プリンタ１へステータス問い合わせ要求を送って、プリンタ１のステータスを取得する（Ｓ１０８）。そして、取得したステータスが「エラー」であれば（Ｓ１０９：Ｙｅｓ）、ホスト装置３はエラー処理を実行する（Ｓ１１０）。
【００４２】
取得したステータスが「エラー」でなければ（Ｓ１０９：Ｎｏ）、印刷要求手段３０２が印刷データを生成して、プリンタへ送信する（Ｓ１１１）。そして、ステップＳ１０１へ戻って、処理を続行する。
【００４３】
上記の処理によれば、ホスト装置３は、プリンタ１がスリープモードであるときは、通常モードであるときよりも長い周期でステータスの問い合わせを行うようになる。つまり、本実施形態によれば、ホスト装置３は、プリンタ１のステータスに応じて、ステータスを取得する周期を変更することができる。
【００４４】
また、図４には、ホスト装置３が実行する他の処理のフローチャートを示す。
【００４５】
この処理手順では、同図に示すように、図３のステップＳ１０６，Ｓ１０７が省略されている。つまり、ホスト装置３が、プリンタ１のステータスがスリープモードであることを検出すると、次の印刷要求が発生するまで、ステータス取得を行わない。
【００４６】
上記の実施形態によれば、プリンタ１が節電モードにあるときは、プリンタに対するステータス問い合わせの周期を長くするか、あるいは、問い合わせを行わないことになる。この結果、後述する理由により、プリンタ１をより省電力化することができる。
【００４７】
次に、図５及び図６には、プリンタ１が実行する処理のフローチャートを示す。
【００４８】
まず、プリンタ１に電源が投入されると、プリンタ１はホスト装置３からの要求を待つ待機状態になる（Ｓ２０１）。そして、待機状態となってから経過時間をカウントし、その経過時間が所定の時間（Ｔ１）に満たない間は（Ｓ２０２：Ｎｏ）、プリンタ１がホスト装置３から何らかの要求を受信したかどうかをチェックする（Ｓ２０３）。
【００４９】
ホスト装置３が、プリンタ１から何ら要求を受信していないときは（Ｓ２０３：Ｎｏ）、ステップＳ２０２へ戻る。
【００５０】
一方、プリンタ１がホスト装置３から何らかの要求を受信したときは、その要求の種別を判定する（Ｓ２０４）。そして、受信した要求が印刷要求であれば、印刷手段１０２が受信した印刷データに従って印刷を実行して、ステップＳ２０１へ戻る（Ｓ２０５）。これに対して、受信した要求がステータス取得要求であるときは、ステータス返信手段１０３が現在のプリンタ１のステータス（つまり「通常」）をホスト装置３へ返し、ステップＳ２０２へ戻る（Ｓ２０６）。
【００５１】
ステップＳ２０２において、プリンタ１が待機状態となってからの経過時間がＴ１を超えたときは（Ｓ２０２：Ｙｅｓ）、プリンタ１がスリープモードへ遷移する（Ｓ２０８）。
【００５２】
図６を参照すると、プリンタ１は、スリープモードになってからの経過時間をカウントする。そして、その経過時間が所定時間（Ｔ２）を超えると（Ｓ２０９：Ｙｅｓ）、プリンタ１がスタンバイモードへ遷移する（Ｓ２１０）。
【００５３】
ここで、プリンタ１は、要求検出手段１０１がホスト装置３からの要求を受け付けるまで、スタンバイモードの状態が継続する（Ｓ２１１）。要求検出手段１０１が、ホスト装置３からの要求を検出すると（Ｓ２１１：Ｙｅｓ）、プリンタ１はスリープモードへ復帰してステップＳ２０９へ戻る。
【００５４】
つまり、プリンタ１が、最も節電効果の大きいスタンバイモードになると、ホスト装置３からの何らかの要求を受け付けるまではその状態が継続する。従って、上述したように、ホスト装置３が、プリンタ１がスリープモードになったことを検出すると、プリンタ１に対して行うステータス問い合わせの周期が長くなるので、プリンタ１がスタンバイモードでいる時間が長くなる。この結果、節電効果がより大きくなる。
【００５５】
ここで、ここまでの説明で明らかなように、スタンバイモードのときはステータス問い合わせに対して応答できないので、ホスト装置３が検出する節電モードは、必ずスリープモードになる。しかし、Ｔ２をステータス問い合わせの長周期よりも大幅に短くなるように設定すれば、ホスト装置３がスリープモードを検出するときは、実質的にはスタンバイモードになっているようにすることも可能である。
【００５６】
フローチャートの説明と続けると、ステップＳ２０９で、スリープモードの継続時間がＴ２に満たないときは（Ｓ２０９：Ｎｏ）、ホスト装置３からの要求の有無を判定する（Ｓ２２１）。そして、ホスト装置３から何ら要求を受信していないときは（Ｓ２２１：Ｎｏ）、ステップＳ２０９へ戻る。
【００５７】
一方、ホスト装置３からの要求を受信したときは、その要求の種別を判定する（Ｓ２２２）。そして、受信した要求が印刷要求であれば、プリンタ１のステータスを通常モードに復帰させ、印刷手段１０２が受信した印刷データに従って印刷を実行する（Ｓ２２３，Ｓ２２４）。印刷終了後、ステップＳ２０１へ戻る。
ホスト装置３からの要求がステータス取得要求であるときは、現在のプリンタ１のステータスをホスト装置３へ返し、ステップＳ２０９へ戻る（Ｓ２２５）。
【００５８】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【図面の簡単な説明】
【００５９】
【図１】本発明の一実施形態に係る印刷システムの構成を示す。
【図２】本実施形態に係る印刷システムの機能構成を示す。
【図３】ホスト装置のフローチャートである。
【図４】ホスト装置のフローチャートである。
【図５】プリンタのフローチャートである。
【図６】プリンタのフローチャートである。
【符号の説明】
【００６０】
１…プリンタ、３…ホスト装置、１１…印刷機構、１５、３４…インタフェース、１０１…要求検出手段、１０２…印刷手段、１０３…ステータス返信手段、１０４…節電制御手段、３０１…ステータス問い合わせ手段、３０２…印刷要求手段。
【図１】
2007094929.tif 000003
【図２】
2007094929.tif 000004
【図３】
2007094929.tif 000005
【図４】
2007094929.tif 000006
【図５】
2007094929.tif 000007
【図６】
2007094929.tif 000008